(57)【要約】【課題】施工時の省力化および工期短縮化を図るとともに、施工費の低減化を図ること可能としたホッパ躯体の施工方法およびサイロホッパ部を提案する。【解決手段】下斜め壁部７１を形成する第一斜め壁部形成工程と、下斜め壁部７１の上に上斜め壁部７２を形成する第二斜め壁部形成工程とを備えている。第一斜め壁部形成工程では、プレキャストコンクリート板７４を配設するＰＣａ板配設作業と、プレキャストコンクリート板７４から隙間をあけて第一ライニング板７６を配置した後、プレキャストコンクリート板７４と第一ライニング板７６との間にコンクリートを打設する。第二斜め壁部形成工程では、プレキャストコンクリート板７４から隙間をあけて第二ライニング板７７を配置するとともに第一ライニング板７６の上端に第二ライニング板７７の下端を固定し、プレキャストコンクリート板７４と第二ライニング板７７との間にコンクリートを打設する。【選択図】図７
2018044317.tif 000002
【特許請求の範囲】
【請求項１】
下斜め壁部を形成する第一斜め壁部形成工程と、
前記下斜め壁部の上に上斜め壁部を形成する第二斜め壁部形成工程と、を備えるホッパ躯体の施工方法であって、
前記第一斜め壁部形成工程は、
プレキャストコンクリート板を配設するＰＣａ板配設作業と、
前記プレキャストコンクリート板から隙間をあけて第一ライニング板を配置する第一ライニング板配置作業と、
前記プレキャストコンクリート板と前記第一ライニング板との間にコンクリートを打設する第一打設作業とを有し、
前記第二斜め壁部形成工程は、
前記プレキャストコンクリート板から隙間をあけて第二ライニング板を配置するとともに、前記第一ライニング板の上端に第二ライニング板の下端を固定する第二ライニング板配置作業と、
前記プレキャストコンクリート板と前記第二ライニング板との間にコンクリートを打設する第二打設作業とを有していることを特徴とする、ホッパ躯体の施工方法。
【請求項２】
前記第一ライニング板の上端に前記第二ライニング板の下端を重ねた状態で、前記第一ライニング板と前記第二ライニング板とを固定することを特徴とする、請求項１に記載のホッパ躯体の施工方法。
【請求項３】
前記プレキャストコンクリート板には、トラス筋が植設されており、
前記第一ライニング板の裏面および前記第二ライニング板の裏面には、それぞれ補強鋼材が固定されていて、
前記第一ライニング板配置作業および前記第二ライニング板配置作業では、一端が前記トラス筋に固定され、他端が前記補強鋼材に固定されたセパレータを配設することを特徴とする、請求項１または請求項２に記載のホッパ躯体の施工方法。
【請求項４】
前記上斜め壁部の上に頂部用プレキャスト部材を固定することによりホッパ躯体の頂部を形成する頂部形成工程をさらに備えており、
前記頂部用プレキャスト部材は、逆Ｖ字状の第三ライニング板と、前記第三ライニング板の内側空間に打設されたコンクリート硬化体とを備えており、
前記頂部形成工程では、前記第二ライニング板の上端に前記第三ライニング板の下端を固定するとともに、前記第二斜め壁部の上面と前記頂部用プレキャスト部材の下面との間に充填材を充填することを特徴とする、請求項１乃至請求項３のいずれか１項に記載のホッパ躯体の施工方法。
【請求項５】
傾斜面を有する上部躯体と、前記上部躯体を支持する下部躯体と、を備えるサイロホッパ部であって、
前記上部躯体は、コンクリート部と、前記コンクリート部の表面に固定されたライニング板と、を備えており、
前記ライニング板の下端は、前記下部躯体の上端部に形成された固定部に溶接されていることを特徴とする、サイロホッパ部。
【発明の詳細な説明】
【技術分野】
【０００１】
本発明は、ホッパ躯体の施工方法およびサイロホッパ部に関する。
【背景技術】
【０００２】
石炭、骨材や穀物等のサイロでは、底部に形成された払出空間に内容物（石炭等）を誘導し、この払出空間内に配設されたベルトコンベヤによって内容物を搬送するのが一般的である。払出空間への内容物の誘導は、サイロの底部において払出空間の直上に形成されたサイロホッパ部において、サイロホッパ部内に配設された払出装置を利用して行う。
サイロホッパ部は、払出空間を挟むように形成されたホッパ躯体により形成されている。ホッパ躯体は、サイロホッパ部の傾斜面を形成する上部躯体と、上部躯体を支持するとともに払出空間の側壁を形成する下部躯体とを備えているのが一般的である。
【０００３】
上部躯体の傾斜面の表面には、石炭等の落下時の衝撃に対する耐久性や耐摩耗性を確保するためのライニング板が設けられている。ライニング板は、コンクリート製の上部躯体の本体部分の表面に、後施工により貼り付けるのが一般的である。ところが、ライニング板を後施工により貼り付けると、本体部分とライニング板との間に空隙ができることや、施工に手間がかかること等が懸念されていた。
そのため、特許文献１や特許文献２には、コンクリートとライニング板とが一体化されたホッパ躯体を形成するホッパ躯体の構築方法が開示されている。このホッパ躯体の構築方法では、傾斜面を形成するライニング板を裏側型枠板から間隔をあけて配設するとともに裏側型枠板とライニング板とを緊結具で緊結した後、ライニング板と裏側型枠板との間にコンクリートを打設する。
【先行技術文献】
【特許文献】
【０００４】
【特許文献１】特開平０８−１３５２４３号公報
【特許文献２】特開平０８−１３５２４７号公報
【発明の概要】
【発明が解決しようとする課題】
【０００５】
サイロホッパ部では、ホッパ躯体とホッパ躯体に直交する大梁との一体性を確保するために、ホッパ躯体の上部躯体のコンクリートと大梁のコンクリートとを同時に打設するのが望ましい。一方、上部躯体と大梁とを同時に施工する場合は、コンクリート量が多く、手間がかかる。また、上部躯体の全高に対してコンクリート打設を行う場合、ライニング板がコンクリート圧により変形するおそれがあるため、ライニング板の断面寸法を大きくする必要があった。ライニング板の断面寸法を大きくすると、施工に手間がかかるとともに、材料費が高価になる。
このような観点から、本発明は、施工時の省力化および工期短縮化を図るとともに、施工費の低減化を図ることを可能としたホッパ躯体の施工方法およびサイロホッパ部を提案することを課題とする。
【課題を解決するための手段】
【０００６】
前記課題を解決するために、本発明のホッパ躯体の施工方法は、下斜め壁部を形成する第一斜め壁部形成工程と、前記下斜め壁部の上に上斜め壁部を形成する第二斜め壁部形成工程とを備えている。前記第一斜め壁部形成工程は、プレキャストコンクリート板を配設するＰＣａ板配設作業と、前記プレキャストコンクリート板から隙間をあけて第一ライニング板を配置する第一ライニング板配置作業と、前記プレキャストコンクリート板と前記第一ライニング板との間にコンクリートを打設する第一打設作業とを有している。また、前記第二斜め壁部形成工程は、前記プレキャストコンクリート板から隙間をあけて第二ライニング板を配置するとともに、前記第一ライニング板の上端に第二ライニング板の下端を固定する第二ライニング板配置作業と、前記プレキャストコンクリート板と前記第二ライニング板との間にコンクリートを打設する第二打設作業とを有している。
【０００７】
かかるホッパ躯体の施工方法によれば、ホッパ躯体の傾斜面を形成する上部躯体を、下斜め壁部と上斜め壁部とに分割して施工を行うため、分割しない場合に比べて１回の打設工程（第一打設作業または第二打設作業）において打設するコンクリート量を減らすことができる。そのため、効率的な施工が可能となる。また、施工時にライニング板に作用するコンクリート圧を抑制できるので、ライニング板の小断面化を図ることができる。また、ホッパ躯体のライニング板は、コンクリートと一体性が確保されているため、高品質なホッパ躯体が形成される。
【０００８】
前記第二ライニング板配置作業では、前記第一ライニング板の上端に前記第二ライニング板の下端を重ねた状態で、前記第一ライニング板と前記第二ライニング板とを固定するのが望ましい。こうすることで、第一ライニング板と第二ライニング板との一体性を確保することができる。また、打設コンクリートの圧力により、第二ライニング板の下端部が広がることを防止することができる。
また、前記プレキャストコンクリート板にトラス筋が植設されており、かつ、前記第一ライニング板の裏面および前記第二ライニング板の裏面にそれぞれ補強鋼材が固定されている場合には、前記第一ライニング板配置作業および前記第二ライニング板配置作業において、一端が前記トラス筋に固定され、他端が前記補強鋼材に固定されたセパレータを配設する。こうすることで、プレキャストコンクリート板とライニング板との間隔を保持することができるので高品質に施工することができる。また、セパレータの設置が容易なため、施工性に優れている。
【０００９】
さらに、前記ホッパ躯体の施工方法が、前記上斜め壁部の上に頂部用プレキャスト部材を固定することによりホッパ躯体の頂部を形成する頂部形成工程をさらに備えていれば、頂部を現場施工により形成する場合に比べて、工期短縮化が可能となる。なお、前記頂部用プレキャスト部材には、逆Ｖ字状の第三ライニング板と、前記第三ライニング板の内側空間に打設されたコンクリート硬化体とを備えているものを使用すればよい。前記頂部形成工程において、前記第二ライニング板の上端に前記第三ライニング板の下端を固定するとともに、前記第二斜め壁部の上面と前記頂部用プレキャスト部材の下面との間に充填材を充填することにより簡易に頂部を形成することができる。
【００１０】
また、本発明のサイロホッパ部は、傾斜面を有する上部躯体と、前記上部躯体を支持する下部躯体とを備えている。前記上部躯体は、コンクリート部と、前記コンクリート部の表面に固定されたライニング板とを備えており、前記ライニング板の下端は、前記下部躯体の上部に形成された固定部に溶接されていることを特徴としている。
かかるサイロホッパ部は、ライニング板の下端が下部躯体の固定部に溶接されているため、下部躯体と傾斜面との一体性が確保されている。
【発明の効果】
【００１１】
本発明のホッパ躯体の施工方法およびサイロホッパ部によれば、施工時の省力化および工期短縮化を図るとともに、施工費の低減化を図ることが可能となる。
【図面の簡単な説明】
【００１２】
【図１】本発明の実施形態に係る石炭サイロを示す断面図である。
【図２】サイロホッパ部の一部を示す拡大断面図である。
【図３】（ａ）は頂部用プレキャスト部材を示す断面図、（ｂ）頂部用プレキャスト部材の一例を示す斜視図である。
【図４】（ａ）はハウジングを示す断面図、（ｂ）は（ａ）の一部を示す拡大図である。
【図５】（ａ）はプレキャストハウジング部材を示す斜視図、（ｂ）は壁部材を示す斜視図である。
【図６】本実施形態のサイロホッパ部の構築方法の施工手順を示す斜視図であって、（ａ）は仕切壁形成工程、（ｂ）は側壁部形成工程である。
【図７】（ａ）は第一斜め壁部形成工程を示す断面図、（ｂ）は第二斜め壁部形成工程を示す断面図である。
【図８】（ａ）は第一斜め壁部形成工程の上部躯体用ＰＣａ板架設作業を示す斜視図、（ｂ）は同第一ライニング板配置作業を示す斜視図である。
【図９】（ａ）はプレキャストコンクリート板を示す斜視図、（ｂ）はセパレータを示す側面図である。
【図１０】（ａ）はライニング板を背面から望む立面図、（ｂ）はライニング板の断面図である。
【図１１】（ａ）は図８（ｂ）に続く第一斜め壁部形成工程を示す斜視図、（ｂ）は第二斜め壁部形成工程を示す斜視図である。
【図１２】頂部形成工程を示す斜視図である。
【発明を実施するための形態】
【００１３】
本実施形態では、石炭貯蔵用のサイロ（以下、単に「石炭サイロ１」という。）を構築する場合について説明する。本実施形態の石炭サイロ１は、図１に示すように、基礎スラブ１１と、基礎スラブ１１上に立設されたサイロ本体１２と、サイロ本体１２の上端に形成された屋根部１３とを備えている。
【００１４】
基礎スラブ１１は、鉄筋コンクリート製の底版である。基礎スラブ１１の厚さ（高さ）は限定されるものではなく、適宜決定すればよい。
サイロ本体１２は、円筒状に形成されている。なお、サイロ本体１２の形状は限定されるものではなく、例えば、角筒状であってもよい。サイロ本体１２の内部には、サイロホッパ部２が形成されている。また、サイロ本体１２の下部には内周面に沿って内壁１４が形成されている。内壁１４は、下側に向うに従って縮径する円錐台状を呈している。
屋根部１３は、図１に示すように、上端に向うに従って縮径する円錐台状を呈している。なお、屋根部１３の形状は限定されるものではない。
【００１５】
サイロホッパ部２は、石炭サイロ１の内容物である石炭を払出空間３に誘導し、石炭サイロ１外に排出する。本実施形態のサイロホッパ部２には、３列の払出空間３，３，３が並設されている。払出空間３は、直線状に形成された空間である。払出空間３の端部は、石炭サイロ１の外面に面している。払出空間３は、ベルトコンベヤ等の輸送手段（図示せず）を配設することが可能な断面形状を有している。
サイロホッパ部２は、ホッパ躯体４と梁５とハウジング６とを備えている。
【００１６】
ホッパ躯体４は、払出空間３と平行に形成されている。本実施形態では、払出空間３同士の間に形成された第一ホッパ躯体４１，４１と、サイロ本体１２の外壁と払出空間３との間に形成された第二ホッパ躯体４２とを備えている。なお、本実施形態では、２列の第一ホッパ躯体４１，４１が形成されているが、第一ホッパ躯体４１の数は限定されるものではなく、払出空間３の数に応じて適宜形成すればよい。
【００１７】
ホッパ躯体４（第一ホッパ躯体４１および第二ホッパ躯体４２）は、図２に示すように、サイロホッパ部２の傾斜面を形成する上部躯体７と、上部躯体７を支持するとともに払出空間３の側壁を形成する下部躯体８とを備えている。また、ホッパ躯体４には、上部躯体７および下部躯体８を背面（払出空間３と反対側の面）から支持する仕切壁４３が配設されている。
【００１８】
本実施形態の上部躯体７は、下斜め壁部７１と、上斜め壁部７２とを備えている。なお、第一ホッパ躯体４１の上部躯体７は、上斜め壁部７２の上端に形成された頂部７３を備えている。一方、第二ホッパ躯体４２の上斜め壁部７２の上端は、内壁１４の下端に接続されている（図１参照）。なお、上部躯体７の構成は限定さえるものではなく、適宜決定すればよい。下斜め壁部７１は、下部躯体８の上端から斜め上方に向けて延びており、上方に向うに従って払出空間３から離れるように傾斜している。上斜め壁部７２は、下斜め壁部７１の上端から斜め上方に向けて延びている。また、上下に連続する下斜め壁部７１と上斜め壁部７２は、同じ角度で傾斜している。同様に、上下に連続する内壁１４と上斜め壁部７２および上斜め壁部７２と頂部７３も同じ角度で傾斜している。
【００１９】
頂部７３は、上斜め壁部７２の上端に固定された頂部用プレキャスト部材９により形成されている。頂部用プレキャスト部材９は、図３（ａ）に示すように、断面視三角形状のコンクリート部９１と、コンクリート部９１の表面を覆う頂部用ライニング板９２とにより構成されている。なお、コンクリート部９１の下面と、上斜め壁部７２の上面との間には、充填材９３が充填されている。本実施形態では、頂部用ライニング板９２として、ステンレス板を使用する。なお、頂部用ライニング板９２を構成する材料はステンレス鋼板に限定されるものではない。
【００２０】
図２に示すように、下部躯体８は、側壁部８１と、側壁部８１の上部に形成された張出部８２とを備えていて、断面視逆Ｌ字状を呈している。側壁部８１は、払出空間３の側面に沿って連続している。張出部８２は、側壁部８１の上部から払出空間３の上方に向けて張り出している。払出空間３を挟んで隣り合う下部躯体８の張出部８２同士の間には、石炭（内容物）を払出空間３に誘導するための隙間が形成されている。なお、張出部８２同士の間の隙間の大きさは限定されるものではないが、本実施形態では７００ｍｍ程度とする。
【００２１】
仕切壁４３は、ホッパ躯体４の軸方向（払出空間３の長手方向）と交差するように形成されており、ホッパ躯体４の軸方向に対して間隔をあけて複数形成されている。本実施形態の仕切壁４３は、複数の壁部材４４，４４，…を組み合わせることにより形成されている。また、仕切壁４３の中央部には、開口４５が形成されている。なお、仕切壁４３の開口４５は必ずしも形成する必要はない。すなわち、ホッパ躯体４の内部が仕切壁４３によって完全に遮蔽されていてもよい。
【００２２】
梁５は、払出空間３およびホッパ躯体４と直交している。梁５の両端は、サイロ本体１２の外壁の内面に接続している。本実施形態では、複数の梁５，５，…が並設されている。すなわち、本実施形態のサイロホッパ部２は、ホッパ躯体４と梁５により、平面視格子状を呈している。本実施形態の梁５は、鉄骨鉄筋コンクリート構造からなる。なお、梁５の構成は限定されるものではなく、例えば鉄筋コンクリート構造であってもよい。また、梁５は、ホッパ躯体４と交差していればよく、必ずしも直交している必要はない。
【００２３】
ハウジング６は、払出空間３の直上において、払出空間３と平行に形成されている。ハウジング６は、図４（ａ）に示すように、門型に形成されたハウジング本体（下部躯体）６１と、ハウジング本体６１の上部に一体に形成された支持部（上部躯体）６２と、支持部の上端に形成された頂部と６３を備えている。
ハウジング本体６１は、断面視門型のコンクリート部材であって、下端が開口している。ハウジング本体６１の内部は、払出装置を収納可能である。支持部６２は、梁５と交差するように形成された鉄骨鉄筋コンクリート製の梁部材である。
【００２４】
支持部６２は、コンクリート部６４と、コンクリート部６４の表面に固定された支持部用ライニング板６５とを備えている。本実施形態では、支持部用ライニング板６５として、ステンレス板を使用する。なお、支持部用ライニング板６５を構成する材料はステンレス鋼板に限定されるものではない。
コンクリート部６４には、芯材６６としてＩ形鋼が埋め込まれている。なお、芯材６６を構成する材料はＩ形鋼に限定されるものではなく、例えば、Ｈ形鋼であってもよい。本実施形態の支持部６２は、断面視台形状を呈している。なお、支持部６２の断面形状は限定されるものではなく、例えば、矩形状であってもよい。
【００２５】
本実施形態のハウジング６は、プレキャスト部材（以下「プレキャストハウジング部材６０」という）を利用して形成されている。プレキャストハウジング部材６０は、図５（ａ）に示すように、ハウジング本体６１と芯材６６とが一体に形成されており、現場内に設けられた製作ヤードにおいて製作する。芯材６６は、ハウジング本体６１の上面に植設されたアンカー（図示せず）の頭部に固定することにより、ハウジング本体６１に固定する。なお、ハウジング本体６１と芯材６６との固定方法は限定されるものではない。また、プレキャストハウジング部材６０は、現場外の工場等において製作されたものを搬入してもよい。
【００２６】
製作ヤードは、多数の型枠が常備された制作場所、製作後のプレキャスト部材（プレキャストハウジング部材６０等）を保管するストック場所、鉄筋等の資材の保管および加工を行う資材置き場等を有している。製作ヤードには、仮設の土間コンクリートを打設し、型枠設置時の精度確保および施工性向上を図っている。プレキャスト部材は、型枠を転用することで経済的に製作する。本実施形態では、複数台（例えば３０台）の型枠の３つのグループ（１０台ずつのグループ）に分割し、各グループ毎に日にちをずらしてコンクリートを打設することで、毎日所定の数（例えば１０個）のプレキャスト部材を製作するものとする。なお、プレキャスト部材の製作は、２日間風乾養生を行うものとし、プレキャスト部材の形状に応じて３〜５日／台とする。なお、製作ヤードを設ける位置は限定されるものではない。例えば、供用中の発電所内に石炭サイロ１を増築する場合には、発電所内の石炭灰等の処分場を製作ヤードの用地として利用してもよい。
【００２７】
図４（ｂ）に示すように、本実施形態のハウジング本体６１の側面上端には、固定用鋼板（固定部）６７が固定されている。支持部用ライニング板６５の下端は、固定用鋼板６７の表面に重ねた状態で溶接されている。固定用鋼板６７の裏面にはスタッド６８が固定されていて、当該スタッド６８がハウジング本体６１に埋め込まれていることで、固定用鋼板６７がハウジング本体６１に一体に固定されている。
頂部６３は、図４（ａ）に示すように、支持部６２の上端に固定された頂部用プレキャスト部材９により形成されている。なお、頂部用プレキャスト部材９（コンクリート部９１）の下面と、支持部６２の上面との間には、充填材９３が充填されている（図３（ａ）参照）。
【００２８】
ホッパ躯体の構築方法は、仕切壁形成工程と、下部躯体形成工程と、第一斜め壁部形成工程と、第二斜め壁部形成工程とを備えている。
仕切壁形成工程は、図６（ａ）に示すように、仕切壁４３を形成する工程である。仕切壁４３は、複数のプレキャスト製の壁部材４４，４４を組み合わせることにより形成する。仕切壁４３は、ホッパ躯体４の軸方向に対して間隔をあけて形成する。なお、仕切壁４３は、必ずしもプレキャスト部材により形成する必要はない。また、仕切壁４３同士の間隔や仕切壁の壁厚等は限定されるものではなく、適宜決定する。
【００２９】
壁部材４４には、現場内に設けられた製作ヤードにおいて製作したプレキャスト部材（いわゆるサイトＰＣａ）を使用する。本実施形態の壁部材４４は、矩形状の下部分に台形状の上部分が上載された形状を呈している。壁部材４４の下部分の側面（下部躯体８側の面）には、図５（ｂ）に示すように、下部躯体８と接続するための複数の接続鉄筋４６，４６，…が植設されている。また、壁部材４４の下部には、基礎スラブ１１の上面に植設された接続鉄筋（図示せず）を挿入するためのスリーブ（図示せず）が埋め込まれている。さらに、壁部材４４の上面には、必要に応じてスリーブを埋め込んでおく。なお、壁部材４４は、現場外の工場等において製作されたものを搬入してもよい。また、接続鉄筋４６の本数、配置および鉄筋径等は限定されるものではなく、適宜決定すればよい。また、壁部材４４の形状は限定されるものではない。
【００３０】
下部躯体形成工程は、図６（ｂ）に示すように、ホッパ躯体４の下部躯体８を形成する工程である。下部躯体８は、所定の位置に型枠を組み立てるとともに、必要な配筋を行い、当該型枠内にコンクリートを打設することにより形成する。なお、下部躯体８は、プレキャスト部材により形成してもよい。また、下部躯体８は、ハーフプレキャスト構造であってもよいし、オムニア板等のいわゆる捨て型枠を利用して施工してもよい。
【００３１】
第一斜め壁部形成工程は、図７（ａ）に示すように、下部躯体８の上に下斜め壁部７１を形成する工程である。本実施形態の第一斜め壁部形成工程は、上部躯体用ＰＣａ板架設作業と、第一ライニング板配置作業と、第一打設作業とを備えている。
上部躯体用ＰＣａ板架設作業では、図８（ａ）に示すように、下部躯体８の上に上部躯体７用のプレキャストコンクリート板７４を架設する。このとき、プレキャストコンクリート板７４は、仮設支保工Ｓにより下面から支持する。また、本実施形態では、プレキャストコンクリート板７４の端部を仕切壁４３に上載させておく。
【００３２】
プレキャストコンクリート板７４は、上部躯体７の下斜め壁部７１および上斜め壁部７２の一部を構成するハーフプレキャスト部材である。図７（ａ）に示すように、左右のプレキャストコンクリート板７４は、正面視逆Ｖ字状に組み合わされている。本実施形態では、プレキャストコンクリート板７４として、図９（ａ）に示すように、表面にトラス筋７５が植設されたいわゆるオムニア板を使用する。なお、プレキャストコンクリート板７４の構成は限定されるものではない。例えば、プレキャストコンクリート板７４は、正面視逆Ｖ字状に形成されていてもよい。
【００３３】
第一ライニング板配置作業では、図７（ａ）および図８（ｂ）に示すように、第一ライニング板７６を配置する。第一ライニング板７６は、プレキャストコンクリート板７４と平行になるように、プレキャストコンクリート板７４から隙間をあけて配置する。第一ライニング板７６は、下斜め壁部７１の表面を覆う形状を有している。なお、第一ライニング板７６の下端は、下部躯体８の上部に固定するのが望ましい。下部躯体８への第一ライニング板７６の固定方法としては、例えば、下部躯体８の上部に固定された固定用鋼板（図示せず）に第一ライニング板７６の下端を重ねた状態で溶接すればよい。本実施形態では、第一ライニング板７６として、ステンレス板を使用する。なお、第一ライニング板７６を構成する材料はステンレス鋼板に限定されるものではない。
【００３４】
図１０（ａ）および（ｂ）に示すように、第一ライニング板７６の背面（プレキャストコンクリート板７４側の面）には、補強鋼材７８が固定されている。本実施形態では、補強鋼材７８として、アングル材を使用する。補強鋼材７８は、縦横に配置する。なお、補強鋼材７８は、必ずしもアングル材である必要はなく、溝形鋼やＨ形鋼等の他の鋼材であってもよい。
【００３５】
図９（ｂ）に示すように、プレキャストコンクリート板７４と第一ライニング材７６との間には、セパレータ７９を介設する。セパレータ７９は、プレキャストコンクリート板７４のトラス筋７５に一端を固定するとともに、第一ライニング材７６の補強鋼材７８に他端を固定する。セパレータ７９の一端には、コ字状の係止部７９ａが形成されている。セパレータ７９は、係止部７９ａをトラス筋７５に係止した状態で、抜け止めボルト７９ｂを螺合することで、トラス筋７５に固定する。一方、セパレータ７９の他端は、補強鋼材７８に溶接する。なお、セパレータ７９は、補強鋼材７８に固定されたナットに他端を螺合することにより固定してもよく、セパレータ７９の固定方法は限定されるものではない。
【００３６】
第一打設作業では、プレキャストコンクリート板７４と第一ライニング板７６との間にコンクリートを打設する。これにより、図１１（ａ）に示すように、プレキャストコンクリート板７４、第一ライニング板７６およびコンクリートが一体となった下斜め壁部７１が形成される。
【００３７】
第二斜め壁部形成工程は、下斜め壁部７１の上に上斜め壁部７２を形成する工程である（図１１（ｂ）参照）。第二斜め壁部形成工程は、第二ライニング板設置作業と、第二打設作業とを備えている。
第二ライニング板設置作業では、図７（ｂ）に示すように、プレキャストコンクリート板７４と平行になるように、プレキャストコンクリート板７４から隙間をあけて第二ライニング板７７を設置する。第二ライニング板７７の下端部は、第一ライニング板７６の上端部に重ねた状態で、第一ライニング板７６に溶接する。なお、第一ライニング板７６と第二ライニング板７７との重ね代の大きさは限定されるものではないが、例えば２ｃｍ程度とすればよい。
【００３８】
図１０（ａ）および（ｂ）に示すように、第二ライニング板７７の背面（プレキャストコンクリート板７４側の面）には、補強鋼材７８が固定されている。本実施形態では、補強鋼材７８として、アングル材を使用する。補強鋼材７８は、縦横に配置する。
図９（ｂ）に示すように、プレキャストコンクリート板７４と第二ライニング材７７との間には、セパレータ７９を介設する。
【００３９】
第二打設作業では、プレキャストコンクリート板７４と第二ライニング板７７との間にコンクリートを打設する。本実施形態では、上斜め壁部７２のコンクリート打設とともに、梁５のコンクリートおよびハウジング６の支持部６２のコンクリートも打設する。こうすることで、図１１（ｂ）に示すように、ホッパ躯体４、梁５およびハウジング６も一体に形成される。
【００４０】
頂部形成工程は、図１２に示すように、ホッパ躯体４の上端、ハウジング６の上端および梁５の上端に頂部７３，６３，５１を形成する工程である。
頂部７３，６３，５１は、断面視三角形状の頂部用プレキャスト部材９（図３（ａ）参照）を上斜め壁部７２の上端、支持部６２の上端および梁５の上端に固定することにより形成する。頂部用プレキャスト部材９は、図３（ａ）に示すように、逆Ｖ字状の頂部用ライニング板９２と、頂部用ライニング板９２の内側空間に打設されたコンクリートの硬化体（コンクリート部９１）とを備えている。頂部用プレキャスト部材９は、現場内に設けられた製作ヤードにおいて製作してもよいし、現場外の工場等で製作されたものを搬入してもよい。
【００４１】
ホッパ躯体４の上端への頂部用プレキャスト部材９の固定は、第二ライニング板７７の上端に頂部用ライニング板９２の下端を重ねた状態で溶接するとともに、第二斜め壁部７２の上面と頂部用プレキャスト部材９の下面との間に充填材９３を充填することにより行う。なお、第二ライニング板７７と頂部用ライニング板９２との重ね代の大きさは限定されるものではないが、本実施形態では２ｃｍ程度とする。本実施形態では、第二斜め壁部７２の上面と頂部用プレキャスト部材９の下面との間に高さ調整プレート９６を介設して、頂部用プレキャスト部材９の高さ位置を調整する。なお、高さ調整プレート９６に代えて高さ調整ボルトを配置してもよい。
同様に、ハウジング６の上端への頂部用プレキャスト部材９を固定する際には、支持部６２の支持部用ライニング板６５の上端に頂部用ライニング板９２の下端を重ねた状態で溶接するとともに、支持部６２の上面と頂部用プレキャスト部材９の下面との間に充填材９３を充填する。
【００４２】
本実施形態の頂部用プレキャスト部材９の下面には、連結用鉄筋９４が植設されている。頂部用プレキャスト部材２は、上斜め壁部７２の上端、支持部６２の上端および梁５の上部に埋め込まれたスリーブ９５に連結用鉄筋９４を挿入することにより固定する。
なお、ホッパ躯体４と梁５との交差部分では、頂部用プレキャスト部材９として、図３（ｂ）に示す、平面視十字状に形成された交差部用プレキャスト部材９０を使用する。
【００４３】
以上、本実施形態のホッパ躯体の施工方法によれば、ホッパ躯体の傾斜面を形成する上部躯体を、下斜め壁部と上斜め壁部とに分割して施工を行うため、分割しない場合に比べて１回の打設工程（第一打設作業または第二打設作業）において打設するコンクリート量を減らすことができる。そのため、効率的な施工が可能となる。また、コンクリートの打設量が減ることで、コンクリート打設時にライニング板に作用するコンクリート圧を抑制し、ひいては、ライニング板の小断面化を図ることができる。また、ホッパ躯体のライニング板は、コンクリートと一体性が確保されているため、高品質なホッパ躯体が形成される。
【００４４】
また、第一ライニング板と第二ライニング板との接合部では、端部同士を重ねた状態で溶接しているため、第一ライニング板と第二ライニング板との一体性を確保することができる。また、打設コンクリートの圧力により、第二ライニング板の下端部が広がることを防止することができる。
また、ライニング板は、セパレータを介して配置するため、プレキャストコンクリート板とライニング板との間隔が保持されて、高品質に施工することができる。また、セパレータの設置は容易なため、施工性に優れている。
【００４５】
また、ホッパ躯体の頂部は、頂部用プレキャスト部材を固定することにより形成するため、頂部を現場施工により形成する場合に比べて、工期短縮化が可能となる。
壁部材４４やプレキャストハウジング部材６０等のプレキャスト部材を現場内に設けられた製作ヤードにて製作するため、部材の搬入に要する手間や費用を削減することができる。多量に必要な壁部材４４を現場外から搬入する場合には、壁部材４４を保管するために広いストック場所が必要となるが、プレキャスト部材を現場内で製作することで、ストック場所は必要最小限に抑えることができる。また、現場外からプレキャスト部材を搬入するためには、運搬車両や製品の積み下ろし等に必要な揚重機等の建設機械が増加することによって建設コストが増加するとともに、車両通行の安全管理にも手間がかかる。一方、現場（製作ヤード）内でプレキャスト部材を製作すれば、必要最小限の台数の建設機械（運搬車両を含む）で施工を行うことができる。また、運搬時の制約により、工場製作では、部材の大きさや重量に制限があるが、現場内の製作ヤードで製作したプレキャスト部材を使用すれば、搬入することができない形状（重量）のプレキャスト部材を製作・使用することができる。
また、複雑な形状や収まり部分に使用するプレキャスト部材の検証については、モックアップによる検証が有効である。現場内の製作ヤードを利用すれば、本格的なプレキャスト部材の製作の前に、製作ヤードにおいて製造した試作品による検証を行うことができる。また、製作ヤードにおいてプレキャスト部材を製作すれば、試作品を利用した施工性等の確認も可能である。
【００４６】
以上、本発明の実施形態について説明したが本発明は、前述の実施形態に限られず、前記の各構成要素については、本発明の趣旨を逸脱しない範囲で、適宜変更が可能である。
前記実施形態では、石炭貯蔵用のサイロについて説明したが、サイロに収容される内容物の種類は石炭に限定されるものではない。例えば、コンクリートやアスファルト等に使用する骨材、セメント等の粉体、穀物等であってもよい。
前記実施形態では、ライニング板同士の接合部において、ライニング板の端部同士を重ねた状態で溶接したが、ライニング板は、端部同士を付き合わせた状態で溶接してもよく、その固定方法は限定されるものではない。
また、前記実施形態では、上部躯体を二段に分けて形成する場合について説明したが、上部躯体の施工は、三段以上に分けて行ってもよい。
【符号の説明】
【００４７】
１    石炭サイロ
２    サイロホッパ部
３    払出空間
４    ホッパ躯体
５    梁
５１  頂部
６    ハウジング
６１  ハウジング本体（下部躯体）
６２  支持部（上部躯体）
６３  頂部
６４  コンクリート部
６５  支持部用ライニング板
６７  固定用鋼板（固定部）
７    上部躯体
７１  下斜め壁部
７２  上斜め壁部
７３  頂部
７４  プレキャストコンクリート板
７５  トラス筋
７６  第一ライニング板
７７  第二ライニング板
７８  補強鋼材
７９  セパレータ
８    下部躯体
９    頂部用プレキャスト部材
９１  コンクリート部
９２  頂部用ライニング板（第三ライニング板）
９３  充填材
９４  連結用鉄筋
９５  スリーブ
【図１】
2018044317.tif 000003
【図２】
2018044317.tif 000004
【図３】
2018044317.tif 000005
【図４】
2018044317.tif 000006
【図５】
2018044317.tif 000007
【図６】
2018044317.tif 000008
【図７】
2018044317.tif 000009
【図８】
2018044317.tif 000010
【図９】
2018044317.tif 000011
【図１０】
2018044317.tif 000012
【図１１】
2018044317.tif 000013
【図１２】
2018044317.tif 000014